(57)【特許請求の範囲】
【請求項１】
一定周期で被写体を撮像し，被写体像を表す画像データを出力する撮像手段，
動画記録指令を与える動画記録指令手段，
静止画記録指令を与える静止画記録指令手段，
上記動画記録指令手段から動画記録指令が与えられたときから上記静止画記録指令手段から静止画記録指令が与えられるまでの間，上記撮像手段から一定周期で出力された画像データについて，データ量が少なくなるように間引き処理を行うデータ量減少手段，
上記データ量減少手段による間引き処理によりデータ量が減少した画像データを，画像メモリの動画用記録領域に順次上書きする第１のメモリ制御手段，および
上記静止画記録指令手段から静止画記録指令が与えられたことにより，その与えられたタイミングで上記撮像手段から出力された画像データを上記画像メモリの静止画用記録領域に，上記動画用記録領域に記録された画像データと互いに関連づけて記録するように，上記画像メモリを制御する第２のメモリ制御手段，
を備えたディジタル・カメラ。
【請求項２】
上記画像メモリには音記録領域が含まれており，
音を入力し，音を表すデータを出力する音データ出力手段，および
上記動画記録指令手段から動画記録指令が与えられたときから上記静止画記録指令手段から静止画記録指令が与えられるまでの間，上記音データ出力手段から出力された音データを上記音記録領域に記録するように上記画像メモリを制御する第３のメモリ制御手段，
をさらに備えた請求項１に記載のディジタル・カメラ。
【請求項３】
上記動画記録指令が与えられたときから上記静止画記録指令が与えられるまでの間に上記撮像手段から出力された画像データにもとづいて上記撮像手段の露光調整および合焦調整の少なくとも一方を行う調整手段，
をさらに備えた請求項１に記載のディジタル・カメラ。
【請求項４】
上記静止画記録指令が与えられる直前に上記撮像手段から出力された１駒分の画像データにもとづいて，上記撮像手段の露光調整および合焦調整の少なくとも一方を行う調整手段，
をさらに備えた請求項１に記載のディジタル・カメラ。
【請求項５】
上記動画記録指令が与えられたときから上記静止画記録指令が与えられるまでの間に得られた露光情報または合焦情報にもとづいて露光調整または合焦調整を行う調整手段，
をさらに備えた請求項１に記載のディジタル・カメラ。
【請求項６】
二段ストローク・タイプのシャッタ・レリーズ・ボタンをさらに備え，
上記シャッタ・レリーズ・ボタンの第一段階の押下に応答して，上記動画記録指令を与え，上記シャッタ・レリーズ・ボタンの第二段階の押下に応答して，上記静止画記録指令を与えるものである，請求項１に記載のディジタル・カメラ。
【請求項７】
動画記録モードを設定する動画記録モード設定手段，および
シャッタ・レリーズ・ボタンをさらに備え，
上記動画記録モード設定手段によって動画記録モードが設定されたことに応答して，上記動画記録指令を与え，上記シャッタ・レリーズ・ボタンの押下に応答して，上記静止画記録指令を与えるものである，
請求項１に記載のディジタル・カメラ。
【請求項８】
動画記録領域と静止画記録領域とをもつ画像メモリから画像データを読み出す画像再生装置において，
再生指令を与える再生指令手段，および
上記再生指令手段から再生指令が与えられたことに応じて，上記動画用記録領域に記録されている動画用画像データを一定周期で出力し，上記動画用記録領域に記録されている動画用画像データの出力が終了したことに応じて，上記動画用記録領域に記録されている動画用画像データに関連づけられており，かつ静止画用記録領域に記録されている，１駒分の上記動画用画像データのデータ量よりもデータ量の多い静止画用画像データを出力する画像データ出力手段，
を備えている画像再生装置。
【請求項９】
一定周期で被写体を撮像し，被写体像を表す画像データを出力する撮像手段を備えたディジタル・カメラにおいて，
動画記録指令を与える動画記録指令手段および静止画記録指令を与える静止画記録指令手段を設け，
上記動画記録指令手段から動画記録指令が与えられたときから上記静止画記録指令手段から静止画記録指令が与えられるまでの間，上記撮像手段から一定周期で出力された画像データについて，データ量が少なくなるように間引き処理を行い，
間引き処理によりデータ量が減少した画像データを画像メモリの動画用記録領域に順次上書きし，
上記静止画記録指令手段から静止画記録指令が与えられたことにより，その与えられたタイミングで上記撮像手段から出力された画像データを上記画像メモリの静止画用記録領域に，上記動画用記録領域に記録された画像データと互いに関連づけて記録するように，上記画像メモリを制御する，
ディジタル・カメラの動作制御方法。
【請求項１０】
動画記録領域と静止画記録領域とをもつ画像メモリから画像データを読み出す画像再生装置において，
再生指令を与える再生指令手段を設け，
上記再生指令手段から再生指令が与えられたことに応じて，上記動画用記録領域に記録されている動画用画像データを一定周期で出力し，上記動画用記録領域に記録されている動画用画像データの出力が終了したことに応じて，上記動画用記録領域に記録されている動画用画像データに関連づけられており，かつ静止画用記録領域に記録されている，１駒分の上記動画用画像データのデータ量よりもデータ量の多い静止画画像データを出力する，
画像再生方法。
【発明の詳細な説明】
【０００１】
【技術分野】
この発明は，ディジタル・カメラ（携帯型情報機器にカメラの機能を持たせたものを含む）およびその動作制御方法ならびに画像再生装置および方法に関する。
【０００２】
【発明の背景】
動画記録が可能なディジタル・スチル・カメラ，静止画記録が可能なムービ・ビデオ・カメラなどがある。しかしながら，いずれのカメラも動画記録を行うときには動画用のスイッチを押す，静止画記録を行うときには静止画用のスイッチを押すなどの必要がある。動画と静止画とは互いに独立しており，互いに関連づけて記録することは考えられていない。
【０００３】
【発明の開示】
この発明は，動画と静止画とを関連づけて記録することを目的とする。
【０００４】
また，この発明は，互いに関連づけて記録されている動画と静止画とを再生することを目的とする。
【０００５】
第１の発明によるディジタル・カメラは，一定周期で被写体を撮像し，被写体像を表す画像データを出力する撮像手段，動画記録指令を与える動画記録指令手段，静止画記録指令を与える静止画記録指令手段，上記動画記録指令手段から動画記録指令が与えられたときから上記静止画記録指令手段から静止画記録指令が与えられるまでの間，上記撮像手段から一定周期で出力された画像データを，データ量が少なくなるように減少処理するデータ量減少手段，上記データ量減少手段により減少処理された画像データを，画像メモリの動画用記録領域に順次上書きする第１のメモリ制御手段，および上記静止画記録指令手段から静止画記録指令が与えられたことにより，その与えられたタイミングで上記撮像手段から出力された画像データを上記画像メモリの静止画用記録領域に，上記動画用記録領域に記録された画像データと互いに関連づけて記録するように，上記画像メモリを制御する第２のメモリ制御手段を備えていることを特徴とする。
【０００６】
第１の発明は，上記ディジタル・カメラに適した動作制御方法も提供している。すなわち，この方法は，一定周期で被写体を撮像し，被写体像を表す画像データを出力する撮像手段を備えたディジタル・カメラにおいて，動画記録指令を与える動画記録指令手段および静止画記録指令を与える静止画記録指令手段を設け，上記動画記録指令手段から動画記録指令が与えられたときから上記静止画記録指令手段から静止画記録指令が与えられるまでの間，上記撮像手段から一定周期で出力された画像データを，データ量が少なくなるように減少処理を行い，データ量が減少された画像データを画像メモリの動画用記録領域に順次上書きし，上記静止画記録指令手段から静止画記録指令が与えられたことにより，その与えられたタイミングで上記撮像手段から出力された画像データを上記画像メモリの静止画用記録領域に，上記動画用記録領域に記録された画像データと互いに関連づけて記録するように，上記画像メモリを制御するものである。
【０００７】
第１の発明によると，上記動画記録指令が与えられてから上記静止画記録指令が与えられるまでの間，上記撮像手段から一定周期で出力された画像データが，１駒分の画像データのデータ量が減少するように減少処理が行われる。データ量が減少させられた画像データが，静止画記録指令が与えられるまでの間上記画像メモリの動画記録領域に順次上書きされる（動画用画像データの記録）。上記静止画記録指令が与えられると，その静止画記録指令が与えられたタイミングで，上記撮像手段から出力された画像データが上記静止画記録領域に記録される（静止画用画像データの記録）。上記動画記録領域に記録される画像データと上記静止画記録領域に記録される画像データとは互いに関連づけられる。
【０００８】
上記画像メモリには，静止画用の画像データと動画用の画像データが記録される。この動画用の画像データは，静止画用の画像データによって表される静止画を記録する前の状況を表すものである。したがって，上記画像メモリに記録されている静止画用の画像データを再生することにより静止画像を見ることもできるし，上記動画用の画像データを再生することにより，静止画の前の状況を動画で見ることもできる。
【０００９】
上記画像メモリは，ディジタル・カメラ内部の内部メモリであっても良いし，外部に着脱自在に設けられた外部メモリであってもよい。
【００１０】
上記画像メモリに音記録領域が含まれていてもよい。この場合には，音を入力し，音を表すデータを出力する音データ出力手段，および上記動画記録指令手段から動画記録指令が与えられたときから上記静止画記録指令手段から静止画記録指令が与えられるまでの間，上記音データ出力手段から出力された音データを上記音記録領域に記録するように上記画像メモリを制御する第３のメモリ制御手段がさらに備えられることとなろう。
【００１１】
上記動画記録指令が与えられたときから上記静止画記録指令が与えられるまでの間に上記撮像手段から出力された画像データにもとづいて上記撮像手段の露光調整および合焦調整の少なくとも一方を行う調整手段をさらに備えてもよい。
【００１２】
必要に応じて上記撮像手段の露光を調整する露光調整手段，上記撮像手段の合焦を調整する合焦調整手段が設けられよう。
【００１３】
上記静止画記録指令が与えられる直前に上記撮像手段から出力された画像データにもとづいて，上記撮像手段の露光調整および合焦調整の少なくとも一方を行う調整手段をさらに備えてもよい。
【００１４】
静止画記録指令が与えられる直前に得られた画像データにもとづいて露光調整，合焦調整等が行われるので，より正確な露光調整，合焦調整等を行うことができ，露光量が適切でかつピントもあっている静止画を得ることができる。
【００１５】
上記動画記録指令が与えられたときから上記静止画記録指令が与えられるまでの間に露光情報または合焦情報にもとづいて露光調整または合焦調整を行う調整手段をさらに備えてもよい。
【００１６】
また，上記の場合において，露光調整，合焦調整のみならず，白バランス調整を行うようにしていもよい（白バランス調整手段）。
【００１７】
二段ストローク・タイプのシャッタ・レリーズ・ボタンをさらに備えてもよい。
【００１８】
この場合，上記シャッタ・レリーズ・ボタンの第一段階の押下に応答して，上記動画記録指令を与え，上記シャッタ・レリーズ・ボタンの第二段階の押下に応答して，上記静止画記録指令を与えることとなろう。
【００１９】
さらに，動画記録モードを設定する動画記録モード設定手段，およびシャッタ・レリーズ・ボタンを備えてもよい。上記動画記録モード設定手段によって動画記録モードが設定されたことに応答して，上記動画記録指令を与え，上記シャッタ・レリーズ・ボタンの押下に応答して，上記静止画記録指令を与えることとなろう。
【００２０】
第２の発明は，動画記録領域と静止画記録領域とをもつ画像メモリから画像データを読み出す画像再生装置において，再生指令を与える再生指令手段，および上記再生指令手段から再生指令が与えられたことに応じて，上記動画用記録領域に記録されている動画用画像データを一定周期で出力し，上記動画用記録領域に記録されている動画用画像データの出力が終了したことに応じて，上記動画用記録領域に記録されている動画用画像データに関連づけられており，かつ静止画用記録領域に記録されている，１駒分の上記動画用画像データのデータ量よりもデータ量の多い静止画用画像データを出力する画像データ出力手段を備えていることを特徴とする。
【００２１】
第２の発明は，上記再生装置に適した方法も提供している。すなわち，この方法は，動画記録領域と静止画記録領域とをもつ画像メモリから画像データを読み出す画像再生装置において，再生指令を与える再生指令手段を設け，上記再生指令手段から再生指令が与えられたことに応じて，上記動画用記録領域に記録されている動画用画像データを一定周期で出力し，上記動画用記録領域に記録されている動画用画像データの出力が終了したことに応じて，上記動画用記録領域に記録されている動画用画像データに関連づけられており，かつ静止画用記録領域に記録されている，１駒分の上記動画用画像データのデータ量よりもデータ量の多い静止画画像データを出力するものである。
【００２２】
第２の発明は，上記第１の発明によって記録された画像データを再生するものである。第２の発明により，１駒分のデータ量が多い（解像度の高い）静止画を再生する前に動画を再生することができ，静止画を記録したときの状況を把握することができる。
【００２３】
【実施例の説明】
図１（Ａ）から（Ｃ）は，ディジタル・スチル・カメラの外観を示している。（Ａ）は平面図，（Ｂ）は正面図，（Ｃ）は背面図である。図１（Ａ）から（Ｃ）を基準として上下左右とする。
【００２４】
図１（Ａ）を参照して，ディジタル・スチル・カメラの平面には，左端部に二段ストローク・タイプのシャッタ・レリーズ・ボタン１が設けられている。またディジタル・スチル・カメラの平面のほぼ中央には，電源スイッチ２が設けられている。
【００２５】
図１（Ｂ）を参照して，ディジタル・スチル・カメラの正面において左上部には，音声を入力するためのマイクロフォン４が設けられている。また，左端部には，グリップ３が形成されている。さらに，正面からみた右側には，撮像レンズ５が露出している。
【００２６】
図１（Ｃ）を参照して，ディジタル・スチル・カメラの背面において左上部には音声を出力するためのスピーカ６が設けられている。ディジタル・スチル・カメラの背面において上部には，モード設定スイッチ７，８，９および10が設けられている。
【００２７】
この実施例においては，通常の静止画の記録の他に，一定時間の間動画を記録し，その動画につづいて静止画を記録するメモリアル記録を行うことができる。また，通常の静止画の再生の他に，動画の再生につづいて静止画を再生するメモリアル再生を行うことができる。通常の再生を設定するのが通常再生モード設定スイッチ７であり，メモリアル再生を設定するのがメモリアル再生モード設定スイッチ８である。また，通常の記録を設定するのが通常記録モード設定スイッチ９であり，メモリアル記録を設定するのがメモリアル記録モード設定スイッチ10である。
【００２８】
ディジタル・スチル・カメラの背面において左下部には，液晶表示画面11が設けられている。この液晶表示画面11の右側には，メニュー・ボタン12および決定ボタン13が設けられている。さらに，ディジタル・スチル・カメラの右端部には，上下左右の矢印が形成されている矢印ボタン14が設けられている。
【００２９】
図２は，ディジタル・スチル・カメラの電気的構成を示すブロック図である。
【００３０】
ディジタル・スチル・カメラの全体の動作は，ＣＰＵ30によって統括される。
【００３１】
上述した電源スイッチ２のオン，オフを示す信号，シャッタ・レリーズ・ボタン１の第１段階の押下を示す信号Ｓ１および第２段階の押下を示す信号Ｓ２，ならびに上述した各モード設定スイッチ等（スイッチ33）の設定を示す信号は，ＣＰＵ30に入力する。
【００３２】
また，撮像レンズ５の合焦を制御するためのフォーカス・モータ24およびＣＣＤ21を駆動するためのドライバ25もＣＰＵ30によって制御される。
【００３３】
さらに，種々のデータを一時的に記憶するフラッシュ・メモリ32もディジタル・スチル・カメラに含まれている。
【００３４】
撮像レンズ５によって被写体像がＣＣＤ（水平方向1280画素垂直方向960画素の画素数を持つ）21の受光面上に結像する。この実施例においては，上述したように動画の記録と静止画の記録とが可能である。動画の記録の場合には，１／30秒の周期で被写体像を表す映像信号が出力される。静止画の記録の場合には，シャッタ・レリーズ・ボタン１の押下のタイミングにもとづいて被写体が撮像され，被写体像を表す映像信号がＣＣＤ21から出力する。
【００３５】
動画記録，静止画記録のいずれの場合にもＣＣＤ21から出力された映像信号は，アナログ／ディジタル変換回路22において，ディジタル画像データに変換され，ＤＳＰ（ディジタル・シグナル・プロセッサ）23に入力する。
【００３６】
動画記録の場合であればＤＳＰ23において画像データの１駒分の画像の画素数が静止画の１駒分の画像の画素数よりも少なくなるように間引き処理が行われ，ｍｐｅｇ（moving picture coding experts group）などにもとづく動画用の圧縮処理が行われる。圧縮された動画データは，内部メモリ31に与えられ，一時的に記憶される。静止画記録であれば，ｊｐｅｇ（joint photographic coding group）などにもとづく静止画用の圧縮処理が行われ，圧縮された静止画データが内部メモリ31に一時的記憶される。またＤＳＰ23において必要であれば白バランス調整が行なわれるのはいうまでもない。
【００３７】
さらに，この実施例によるディジタル・スチル・カメラには，マイクロフォン４が設けられている。マイクロフォン４から入力した音声は，音声信号として出力される。音声信号は増幅回路26において増幅され，アナログ／ディジタル変換回路27においてディジタル音声データに変換される。ディジタル音声データは，ＤＳＰ23においてＭＰ３（ＭＰＥＧ Audio Layer-3）などにもとづく音声圧縮が行われる。圧縮された音声データは，内部メモリ31に与えられ，一時的に記憶される。
【００３８】
内部メモリ31に一時的に記憶された動画データ，静止画データおよび音声データは，メモリ・カードなどの外部メモリ34に与えられ，互いにリンクされて記録される。
【００３９】
図３は，内部メモリ31の記憶領域を示している。
【００４０】
内部メモリ31には，音声データを記憶する音声データ記憶領域，動画データを記憶する動画データ記憶領域および静止画データを記憶する静止画データ記憶領域が含まれている。上述したように音声データ記憶領域に音声データが，動画データ記憶領域に動画データが，静止画データ記憶領域に静止画データが記憶されることとなる。音声データ記憶領域は，10秒分の音声を表すデータを記憶することができる。10秒を過ぎて音声を表すデータが与えられているときには，順に上書きされていく。動画記憶領域も10秒分の動画を表すデータを記憶することができる。10秒を過ぎて動画を表すデータが与えられているときには，順に上書きされていく。
【００４１】
図４は，動画データと静止画データとが記録される様子を模式的に示すもので，図５は，記録処理を示すフローチャートである。
【００４２】
記録モードにおいては（メモリアル記録モードを含む），１／30秒周期で被写体が撮像され，被写体像を表す映像信号がＣＣＤ21から周期的に出力される。
【００４３】
ユーザによってメモリアル記録モードが設定されているかどうかが判断される（ステップ41）。メモリアル記録モードが設定されていると（ステップ41でＹＥＳ），シャッタ・レリーズ・ボタン１の第一段階の押下があったかどうかが検出される（ステップ42）。時間ｔ１で，シャッタ・レリーズ・ボタン１の第一段階の押下があると（ステップ42でＹＥＳ，Ｓ１オン），上述のように１／30周期でＤＳＰ23に入力する画像データが水平方向640画素垂直方向480画素となるように間引き処理が行われる。間引きされた画像データが動画データとして，内部メモリ31の動画データ記憶領域に記憶される（ステップ43）。また，マイクロフォン４から音声が入力され，音声を表すデータが内部メモリ31の音声データ記憶領域に記憶され始める。
【００４４】
時間ｔ２でシャッタ・レリーズ・ボタン１の第二段階の押下があると（ステップ44でＹＥＳ，Ｓ２オン），動画データの内部メモリ31の動画データ記憶領域への記憶が停止される（ステップ45）。また，音声データの内部メモリ31の音声データ記憶領域への記憶が停止される。シャッタ・レリーズ・ボタン１の第二段階の押下に応答してＣＣＤ21の出力から得られた水平方向1280画素垂直方向960画素の画像データが静止画データとして内部メモリ31の静止画データ記憶領域記憶される（ステップ45）。
【００４５】
シャッタ・レリーズ・ボタン１の第一段階の押下（時間ｔ１）から第二段階の押下（時間ｔ２）までの時間が10秒以上ある場合には，内部メモリ31の音声データ記憶領域に音声データが上書きされ，内部メモリ31の動画データ記憶領域に動画データが上書きされるのはいうまでもない。いずれにしても，シャッタ・レリーズ・ボタン１の第二段階の押下の直前の動画データおよび音声データが内部メモリ31の動画データ記憶領域および音声データ記憶領域に記憶させられる。
【００４６】
その後，内部メモリ31に記憶されている動画データ，音声データおよび静止画データが読み出され，外部メモリ34に与えられることにより互いにリンクされて記録されることとなる（ステップ46）。
【００４７】
メモリアル記録モードに設定されていなければ（ステップ41でＮＯ），動画記録は行われずシャッタ・レリーズ・ボタン１の第二段階の押下に応答して（ステップ47でＹＥＳ），ＣＣＤ21の出力にもとづいて静止画データが得られ，内部メモリ31に一時的に記憶される（ステップ48）。内部メモリ31から静止画データが読み出され，外部メモリ34に記録されることとなる（ステップ49）。
【００４８】
図６は，再生処理を示すフローチャートである。
【００４９】
まず，メモリアル再生モードかどうかが判断される（ステップ51）。メモリアル再生設定スイッチ８により，メモリアル再生モードが設定されていると（ステップ51でＹＥＳ），ユーザによって，再生すべき画像が選択される。メモリアル再生モードにおいて再生すべき駒番号が表示画面11上に表示される。矢印ボタン14を操作することによりカーソルが駒番号の間を動く。決定ボタン13が押されることにより，その決定ボタン13が押されたときにカーソルで指示されていた画像が再生画像として選択されることとなる。選択された画像がメモリアル記録画像（上述したようにメモリアル記録モードのもとで記録された画像）かどうかが判断される（ステップ52）。
【００５０】
メモリアル記録画像であれば（ステップ52でＹＥＳ），上述したようにまず，外部メモリ34から動画データが読み取られＤＳＰ23においてデータ伸長処理が行われ表示装置11に与えられる。静止画の記録の前に記録された動画が表示装置11の表示画面上に再生される（ステップ53）。動画再生のときには，対応する音声データも外部メモリ34から読み出され，音声がスピーカ６から出力されているのはいうまでもない。動画の再生が終了すると，静止画データが外部メモリ34から出力されＤＳＰ23においてデータ伸長が行われる。伸長された静止画データが表示装置11に与えられることにより，表示装置11の表示画面上に高解像度の静止画が表示されることとなる（ステップ54）。
【００５１】
メモリアル再生モードが設定されていない場合（ステップ51でＮＯ），またはメモリアル再生モードが設定されていても（ステップ51でＹＥＳ），選択された画像がメモリアル記録画像でない場合（ステップ52でＮＯ）には，動画再生を行わず選択された画像を静止画再生することとなる（ステップ55）。
【００５２】
上述の実施例において，動画の記録時に得られた動画データにもとづいてフォーカス・モータ24を駆動し，撮像レンズ５の合焦処理を行う，ＣＣＤ21の電子シャッタのシャッタ速度を制御して静止画を撮影するなどのようにしてもよい。好ましくは，シャッタ・レリーズ・ボタン１の第二段階の押下の直前に得られた１駒分の動画データにもとづいて撮像レンズ５の合焦処理，シャッタ速度の制御を行う。この場合必要に応じて，合焦処理，シャッタ速度の処理の終了後に静止画の撮影および記録を行うこととなろう。さらに，動画データを用いなくとも動画の記録時に測距センサなどから得られた測距データを用いて撮像レンズ５の合焦処理を行う，輝度センサなどから得られた輝度値にもとづいてＣＣＤ21のシャッタ速度を決定するようにしてもよいのはいうまでもない。
【００５３】
さらに，上述の実施例においては，シャッタ・レリーズ・ボタン１の第一段階の押下に応じて動画の記録を開始し，シャッタ・レリーズ・ボタン１の第二段階の押下に応じて動画の記録を終了し，静止画を記録しているが，メモリアル記録モードが設定されたことに応じて動画の記録を開始し，シャッタ・レリーズ・ボタン１の第一段階の押下に応じて動画の記録を終了し，静止画を記録するようにしてもよい。
【００５４】
さらに，上述の実施例においては，内部メモリ31の動画記憶領域は，10秒分の動画を記憶できるように規定されていたが，１駒分の静止画画像データを記録できる領域の残りの領域を動画記憶領域および音声記憶領域と規定してもよい。また，上述の実施例においては一時内部メモリ31に動画データ，音声データおよび静止画データを記憶しているが，内部メモリ31に記憶することなく，直接外部メモリ34に記録するようにしてもよい。
【図面の簡単な説明】
【図１】（Ａ）から（Ｃ）は，ディジタル・スチル・カメラの外観を示している。
【図２】ディジタル・スチル・カメラの電気的構成を示すブロック図である。
【図３】内部メモリのデータ記憶領域を示している。
【図４】動画データと静止画データとの関係を示している。
【図５】記録処理を示すフローチャートである。
【図６】再生処理を示すフローチャートである。
【符号の説明】
１  シャッタ・レリーズ・ボタン
４  マイクロフォン
５  撮像レンズ
６  スピーカ
８  メモリアル再生設定スイッチ
10  メモリアル記録設定スイッチ
11  液晶表示装置
21  ＣＣＤ
23  ＤＳＰ
30  ＣＰＵ
31  内部メモリ
34  外部メモリ
【図１】
0003881168.tif 000002
【図２】
0003881168.tif 000003
【図３】
0003881168.tif 000004
【図４】
0003881168.tif 000005
【図５】
0003881168.tif 000006
【図６】
0003881168.tif 000007